(57)【特許請求の範囲】
【請求項１】
ヘッドのロフトが漸増するに従いシャフトの長さが漸減するように形成した複数本のクラブからなるウッドまたはアイアンゴルフクラブセットにおいて、
上記セット内のクラブでは、シャフトのヘッド部とグリップ部を保持した状態でシャフトに一定の捻じりモーメントを負荷した場合におけるシャフト全長での捻れ角（クラブトルク）が同一で、かつ、
上記シャフトのヘッド側先端３００ｍｍについての捻れ剛性ＧＩｔと、該シャフトのグリップ側先端３００ｍｍについての捻れ剛性ＧＩｂとの比率（捻れ剛性比）ＧＩｔ／ＧＩｂがヘッドのロフトが漸増するに従い小さくなる構成としていることを特徴とするゴルフクラブセット。
【発明の詳細な説明】
【０００１】
【発明の属する技術分野】
本発明は、ヘッドのロフトが漸増するに従いシャフトの長さが漸減するように形成した複数本のクラブからなるゴルフクラブセットに関し、特に各番手のクラブのスイング（打球）時に、打感の違和感を発生させないようにするものである。
【０００２】
【従来の技術】
ゴルフクラブセットは、ヘッドのロフトが漸増するに従いシャフトの長さが漸減するように形成した複数本のクラブからなり、シャフトの長い方ほど小さい数字となるようにクラブの番手として数字が付けられている。
この種のゴルフクラブセットは、番手の最も小さいクラブに合わせて長いシャフトを製造し、この１種類のシャフトを各番手の長さに合わせてカットしてゴルフクラブセットを形成しており、低番手（例えば１番）から高番手（例えば９番）になるに従い重量が軽くなると共にクラブ全体のクラブトルクが小さくなる。
【０００３】
これに対して、番手間の重量を略同一とするために、番手別に設計された所謂番手別シャフトでは、高番手になるに従いＦＲＰの樹脂含有率を増加したり、捻れ剛性を決定する勾配角を有する繊維層の体積を増大させる等の手段がとられているため、クラブの番手が増すと捻れ剛性が大きくなっていた。
【０００４】
また、特許第２５３３８５６号は、ゴルフクラブシャフトの特性をトルク角によって特定化し、クラブヘッドのロフトの大きさの順にシャフトのトルク角が小さくなるように選択してセット化したゴルフクラブシャフトが提案されている。即ち、番手の相違に拘わらず安定した方向性を得るために、番手が大きくなるに従い、捻れ剛性を大きくしたものが提案されている。
【０００５】
逆に、特開平９−２６２３２１号、特開平９−１６４２２５号、特開平９−１６４２３１号では、番手が大きくなる程、シャフトの捻れ剛性を小さくした（即ち、番手が小さくなるほど捻れ剛性を大きくした）ものが開示されている。
具体的には、特開平９−１６４２２５号の場合はＦＲＰの繊維層の弾性率を高くし、特開平９−１６４２３１号ではＦＲＰの繊維層の巻き角度をシャフト軸線に対して±４５°に近づけることにより、番手が小さい程、捻れ剛性を大きくしている。
【０００６】
【発明が解決しようとする課題】
上記した従来のゴルフクラブセットの場合、いずれも、低番手のクラブと高番手のクラブの間でスイング時のシャフトの捻れ剛性が異なることにより打感が相違して違和感を生じる問題がある。
高番手になる程、捻れ剛性が大きいと、インパクト時における打球感が高番手になるほど硬く感じられる。また、長さの違いによって低番手から高番手まで一定のスイングができない一般アベレージゴルファーでは、低番手ではスイング時のシャフトの捻れによって生じるフェースの開きが大きく、高番手ではフェースの開きが小さくなる。この番手の相違によるフェースの開き量の差により、開き量が大きい低番手ではスライス方向へ飛球し易くなる一方、開き量が小さい高番手ではフック方向へ飛球しやすくなる。
【０００７】
逆に、高番手なるぼど捻れ剛性が小さい場合にも、同様な問題が発生し、インパクト時における打感が低番手になるほど硬く感じられると共に、球が上がり難くフック方向へ飛球しやすくなり、高番手では捻れ剛性が小さすぎると打感が頼りなく、スライス方向へ飛球しやすくなる。
【０００８】
かつ、上記特開平９−１６４２２５号、特開平９−１６４２３１号では、シャフト先端からの一定スパンにおける「捻れ剛性」を規定されているだけで、クラブ長さ全体の捻れ剛性について考慮されていない。
従来、ゴルフ分野では、捻れ剛性を表す一般的な指標である「トルク」は、図３に示すように、シャフトＳのヘッド側先端Ｐ１をチャックＣ１で固定し、該先端Ｐ１から一定スパンＬをあけた点Ｐ２を固定具Ｃ２で固定して、一定の捩り負荷をかけた時の捻れ角度で示している。
しかしながら、「捻れ剛性」はクラブ全長において一定ではなく、同一のシャフトにおいて、スパンを変えて、同一の負荷をかけて捻ると、捻れ角度が相違する。よって、シャフト先端側の特定スパンの捻れ剛性を、高番手になるほど小さくして、捻れ角度を大きくしても、クラブ全長では捻れ角度が小さくなる場合もある。
【０００９】
本発明は、上記した問題に鑑みてなされたもので、低番手のクラブと高番手のクラブの間でスイング時のシャフトの捻れ特性が相違することに起因して生じる打感の違和感発生を解消することを課題としている。
【００１０】
【課題を解決するための手段】
上記課題を解決するため、本発明は、ヘッドのロフトが漸増するに従いシャフトの長さが漸減するように形成した複数本のクラブからなるウッドまたはアイアンゴルフクラブセットにおいて、
上記セット内のクラブでは、シャフトのヘッド部とグリップ部を保持した状態でシャフトに一定の捻じりモーメントを負荷した場合におけるシャフト全長での捻れ角（クラブトルク）が同一で、かつ、
上記シャフトのヘッド側先端３００ｍｍについての捻れ剛性ＧＩｔと、該シャフトのグリップ側先端３００ｍｍについての捻れ剛性ＧＩｂとの比率（捻れ剛性比）ＧＩｔ／ＧＩｂがヘッドのロフトが漸増するに従い小さくなる構成としていることを特徴とするゴルフクラブセットを提供している。
【００１１】
上記クラブトルクが同一とは、厳密には略同一であることを指し、セット内における最大の捻れ角（最大クラブトルク）と最小の捻れ角（最小クラブトルク）の差が、０．２°以下であることを指す。０．２°を越えると、番手間のシャフトの捻れ特性の相違を十分に解消することが難しくなる。最大・最小クラブトルクの差は小さいほど好ましいが、製造上のバラツキを考慮すれば、０．１°以下とするのがより好ましい。
【００１２】
前記したように、従来は、セット内の各クラブのシャフトの先端側の一定スパンに一定の捻りモーメントを負荷した場合のシャフトの部分的な捻れ角を測り、これに基づいてセットが形成されていた。
これに対して、本発明では、図１に示すように、セット内の長さが相違する各クラブにおいて、それぞれシャフト全長にわたる捻れ角を測定し、捻れ角度が略同一となるようにクラブセットを形成している。
即ち、従来ではクラブ長さが相違しても測定スパンは一定であったが、本発明ではクラブ長さが相違すると測定スパンが相違し、測定スパンはクラブ長さによって決まることとなる。
【００１３】
上記のように、本発明において、シャフト全長の捻れ角を「クラブトルク」として規定おり、従来用いられているヘッド側シャフトの一定スパンにおける捻れ角を指標する「トルク」とは異なる概念である。
【００１４】
本発明のゴルフクラブセット（以下、クラブセットと略記する）では、セット内の全てのクラブのクラブトルクを略同一としているため、低番手のクラブと高番手のクラブの間でのスイング時のシャフトの捻れ特性の相違が解消され、捻れ特性の相違により発生する高番手から低番手まで打感に違和感を無くすことができる。また、フェースの開き量の過不足を解消でき、一般のアベレージゴルファでも高番手から低番手までのクラブをスライス方向やフック方向へズレ（曲がり）を意図的に修正することなく、同じリズムでスイングすることができる。
【００１５】
また、本発明のゴルフクラブセットでは、シャフトのヘッド側先端３００ｍｍについての捻れ剛性ＧＩｔと、シャフトのグリップ側先端３００ｍｍについての捻れ剛性ＧＩｂとの比率（捻れ剛性比）ＧＩｔ／ＧＩｂをヘッドのロフトが漸増するに従い小さくなるようにしている。
【００１６】
シャフトの捻れ剛性はシャフト軸線の方向（長さ方向）に一様ではなく、一定の分布を有する。上記のように、捻れ剛性比ＧＩｔ／ＧＩｂをヘッドのロフトが大きくなるに従い小さくすることにより、シャフト軸線の方向の捻れ剛性の分布を有効に利用することができる。
即ち、低番手のクラブは方向性と優しさ（ソフト感）が求めれるに対して、高番手のクラブは飛距離の安定としっかり感が求められる。
上記構成とすると、低番手のクラブは先端のヘッド側が硬めでフェースの向きが安定して飛球の方向性が良くなり、また後端のグリップ側が柔らかめでソフトな打感となる。一方、高番手のクラブは先端のヘッド側が柔らかめでフェースが球に良くフィットして飛距離が安定し、また後端のグリップ側が硬めで手元のしっかり感が得られる。
【００１７】
上記クラブセットの各クラブシャフトは、強化繊維を樹脂に含浸させたプリプレグを層状に巻き付け、これをテープラッピングにて加圧加熱して作成している。  セット内のクラブのクラブトルクを全て略同一とするために、捻れ剛性を決定する勾配角を有する繊維層（バイアス層）に下記の▲１▼〜▲３▼の手法を単独または併用で適用している。
▲１▼高番手になるに従い繊維層の繊維量を少なくする。
▲２▼高番手になるに従い繊維層の弾性率を低くする。
▲３▼繊維層の勾配角を最低番手で±４５°に設定し、高番手になるに従い繊維層の勾配角を大きくまたは小さく設定する。
【００１８】
又、上記のように、捻れ剛性比ＧＩｔ／ＧＩｂがヘッドのロフトが大きくなるに従い小さくなるようにするには、上記バイアス層の繊維層において、シャフトのヘッド側先端(Tip側) の積層量とグリップ側（Butt側) の積層量を増減させればよい。ヘッド側の積層量を多く、グリップ側（Butt側) の積層量を少なくすれば、捻れ剛性比ＧＩｔ／ＧＩｂは大きくなり、逆に、先端側の積層量を少なく、手元側（Butt側) の積層量を多くすれば、捻れ剛性比ＧＩｔ／ＧＩｂは小さくなる。
【００１９】
本発明のゴルフクラブセットは、ウッドだけのセットでもよく、アイアンだけのセットであってもよい。また、ウッドとアイアンが一つのセットに併存する混合クラブセットでもよい。
さらに、ウッドあるいはアイアンのいずれの場合も、全ての番手が揃っている完全セットだけでなく、幾つかの番手が抜けている非フルセット（例えば２番，３番，５番，６番，７番，８番，９番，ピッチングウェッジ，サンドウェッジからなるアイアンセット）であってもよい。
【００２０】
【発明の実施の形態】
以下、本発明の実施形態を図面を参照しながら説明する。
本実施形態のアイアンからなるゴルフクラブセットは、ゴルフクラブのシャフトの長さがヘッドのロフトの漸増に伴って漸減するように形成した複数本のクラブからなる。
【００２１】
上記セットのゴルフクラブは、強化繊維を樹脂で含浸したプリプレグを通常のシートワインディング製法に従って巻回して積層体とし、これを加熱加圧成形したものからなる。上記プリプレグの巻回時に、軸線方向に４５度に傾斜させたバイアス層のプリプレグの積層枚数を調整することにより、セット内のゴルフクラブのクラブトルクを略同一に設定している。
【００２２】
即ち、前記図１に示すように、各クラブのシャフト２のヘッド部２ａとグリップ部２ｂを保持した状態でシャフト２に一定の捻じりモーメントを負荷した場合のシャフト全長の捻れ角（クラブトルク）φがセット内で全てのクラブで略同一となる構成としている。
【００２３】
具体的には、ゴルフクラブ１のヘッド３のネックをチャック４で掴んでシャフト２のヘッド部２ａを保持すると共に、グリップは外した状態でグリップ部２ｂの端を固定具５で幅５０ｍｍにわたって保持した状態で、一定の捻じりモーメント（通常１ｆｔ・Ｌｂ）を負荷してクラブトルクφを測定している。
【００２４】
上記クラブトルクφは下式（１）で表される。
φ＝ＭＬ／ＩＧ＝３２ＭＬ／〔πＧ（Ｄ4 −ｄ4 ）〕・・（１）
但し、Ｍ：捻りモーメント
Ｇ：横弾性係数
Ｉ：断面２次モーメント〔＝π（Ｄ4 −ｄ4 ）／３２〕
Ｄ：シャフト外径
ｄ：シャフト内径
Ｌ：測定スパン
【００２５】
さらに、クラブトルクφから下式（２）により捻れ剛性ＧＩが求められる。
ＧＩ＝ＬＭ／φ    ・・（２）
【００２６】
実施形態のクラブセットにおけるクラブトルクが略同一であるとは、セット内における最大の捻れ角（最大クラブトルク）と最小の捻れ角（最小クラブトルク）の差を０．２°以下としていることを指す。
【００２７】
さらに、本実施形態のゴルフクラブのシャフト２は、そのヘッド側先端３００ｍｍの捻れ剛性ＧＩｔと、シャフト２のグリップ側先端３００ｍｍの捻れ剛性ＧＩｂの比率（捻れ剛性比）ＧＩｔ／ＧＩｂを、ヘッド３のロフトが漸増するに従い小さくしている。
【００２８】
捻れ剛性ＧＩｔの測定は、図２（Ａ）に示すように、ゴルフクラブ１のヘッド３のネックをチャック４で掴んでシャフト２のヘッド部２ａを保持すると共に、チャック５でヘッド３のネックから３００ｍｍの位置を幅５０ｍｍにわたって保持した状態で、一定の捻じりモーメント（通常１ｆｔ・Ｌｂ）を負荷しシャフトトルクφｔを測定している。
測定スパンＬＡは３００ｍｍであり、上記式（２）より捻れ剛性ＧＩｔを求めている。
また、捻れ剛性ＧＩｂの測定は、図２（Ｂ）に示すように、グリップを外した状態でゴルフクラブ１のグリップ部２ｂの端をチャック４で幅５０ｍｍにわたって把持すると共に、グリップ部２ｂの端から３００ｍｍの位置を幅５０ｍｍにわたって把持した状態で、一定の捻りモーメント（通常１ｆｔ・Ｌｂ）を負荷し、シャフトトルクφｂを測定している。測定スパンＬＢは３００ｍｍでの式（２）より捻れ剛性ＧＩｂを求めている。
【００２９】
このように、本実施形態のクラブセットでは、セット内のどのクラブもクラブトルクが略同一であるので、番手間のスイング時のシャフトの捻れ特性の相違が解消され、捻れ特性の相違により発生する問題を回避できる。その結果、高番手から低番手まで打感が変わらず違和感が無く、クラブを振り易いものとすることができる。また、フェースの開き量の過不足がなくなり、一般のゴルファでも高番手から低番手までのクラブをスライス方向やフック方向への飛球のズレ（曲がり）を意識することなく、同じようなリズムでスムーズにスイングできる。
【００３０】
また、捻れ剛性比ＧＩｔ／ＧＩｂがヘッド３のロフトが漸増するに従い小さくしているため、低番手のクラブは先端のヘッド側が硬めでフェースの向きが安定し飛球の方向性が良くなる上、後端のグリップ側が柔らかめでソフトな打感となる。また、高番手のクラブは先端のヘッド側が柔らかめでフェースが球に良くフィットして飛距離が安定する上、後端のグリップ側が硬めで手元のしっかり感が得られる。
【００３１】
実施形態のゴルフクラブセットの性能を評価するために、下記の実施例を作成すると共に、従来例も作成した。
【００３２】
（実施例１）
下記の表１に示すバイアス層を有する３番，６番，９番の３本のクラブからなるアイアンクラブセットを作製した。
表１中において、勾配角はバイアス層における強化繊維の勾配角（°），弾性率は上記勾配角を有する強化繊維の弾性率(GPa) ，積層数は上記勾配角を有するプリプレグの積層数である。なお、上記バイアス層はシャフト全長に配置するバイアス層で規定している。
実施例１では、３本のクラブの間で、勾配角及び弾性率は同一としたが、プリプレグの積層数を異ならせることにより、セット内のクラブトルクφを同一としている。
上記実施例１のアイアンクラブセットのクラブトルクφ、及び、捻れ剛性比ＧＩｔ／ＧＩｂを上述した方法で測定し、その結果を表１に併記している。
【００３３】
【表１】
0004354626.tif 000002
【００３４】
（実施例２）
下記の表２に示すように、３本のクラブの間で、バイアス層の勾配角及び積層数は同一としたが、強化繊維の弾性率を異ならせて、セット内のクラブトルクφを同一とした。他は実施例１と同一とした。
【００３５】
【表２】
0004354626.tif 000003
【００３６】
（実施例３）
下記の表３に示すように、３本のクラブの間では、バイアス層の弾性率及び積層数は同一としたが、強化繊維の勾配角を異ならせることにより、セット内のクラブトルクφを同一とした。他は実施例１と同一とした。
【００３７】
【表３】
0004354626.tif 000004
【００３８】
（実施例４）
下記の表４に示すように、ヘッド先端側(Tip側) のプリプレグの積層数とグリップ側（Butt側) のプリプレグの積層数の比を相違させた。セット内のクラブトルクφを同一としたが、ＧＩｔ／ＧＩｂは相違させ、高番手９Ｉになる程、ＧＩｔ／ＧＩｂを小さくした。他は実施例２と同一とした。
【００３９】
【表４】
0004354626.tif 000005
【００４０】
（従来例）
下記の表５に示すように、３本のクラブの間では、バイアス層の積層数、該バイアス層の強化繊維の勾配角、弾性率を同一とした。
セット内のクラブトルクφを測定すると、表５に示すように、３番アイアン（３Ｉ）では４．１、６番アイアン（６Ｉ）では３．８、９番アイアン（９Ｉ）では３．５で、０．６°の差があった。
【００４１】
【表５】
0004354626.tif 000006
【００４２】
（実打テスト）
実施例１〜４と従来例１のクラブセットを用いて、５人のアベレージプレーヤ（テスター）がゴルフボールを５球づつ試打し、番手間の違和感を評価した。
評価は、１，２，３，４，５の５段階評価で行った。１が強い違和感有りで、段階が上がるに従い違和感が少なくなり、５は違和感無しである。５人の平均値を下記の表６に示す。
また、実施例１〜４と従来例１のクラブセットを用い、１５人のアベレージプレーヤがゴルフボールを５球づつ試打し、方向性のバラツキ（ズレ）を評価した。目標方向から何ヤードずれたかで評価し、左右にそれぞれ最もズレた球の間の距離を各プレーヤについて求めた後、平均値を算出した。平均値が１０ヤード以内とズレが少ない場合は（◎），平均値が１０〜２０ヤードとズレが普通の場合は（○），平均値が２０ヤード以上とズレが大きい場合は（×）で示す。
【００４３】
【表６】
0004354626.tif 000007
【００４４】
表６に示すように、実施例１〜４のクラブセットは、いずれも、セット内のクラブのクラブトルクを同一としていることにより、従来例１のクラブセットに比べ、番手間の違和感が少なく、飛球の方向性のズレも少なくなっていることが確認された。また、実施例４のクラブセットのように、捻れ剛性比ＧＩｔ／ＧＩｂをヘッド３のロフトが漸増するに従い小さくなるよようにすれば、番手間の違和感も、飛球の方向性のズレも、より改善されることが確認された。
【００４５】
【発明の効果】
以上の説明から明らかなように、本発明に係るゴルフクラブセットによれば、セット内の全てのクラブのクラブトルクを略同一としているため、低番手のクラブと高番手のクラブの間でのスイング時のシャフトの捻れ特性の相違が解消され、捻れ特性の相違により発生する問題を解消することができる。その結果、高番手から低番手まで打感が同じで違和感が無くてクラブが振り易くなり、又、フェースの開き量の過不足がなくなり、一般のゴルファでも高番手から低番手までのクラブをスライス方向やフック方向のズレ（曲がり）を意識することなく、同じようなリズムでスムーズにスイングできる。
【００４６】
また、捻れ剛性比ＧＩｔ／ＧＩｂをヘッドのロフトが漸増するに従い小さくすると、低番手のクラブはフェースの向きが安定して飛球の方向性が良くなる上にソフトな打感となる一方、高番手のクラブはフェースが球に良くフィットして飛距離が安定する上、手元のしっかり感が得られる。
【図面の簡単な説明】
【図１】  本発明に係るゴルフクラブのクラブトルクの説明図である。
【図２】  （Ａ）（Ｂ）はゴルフクラブのクラブトルク測定時の模式図である。
【図３】  従来のシャフトのシャフトトルクを測定するときの状況を示す模式図である。
【符号の説明】
１  ゴルフクラブ
２  シャフト
２ａ  シャフトのヘッド部
２ｂ  シャフトのグリップ部
３  ヘッド
【図１】
0004354626.tif 000008
【図２】
0004354626.tif 000009
【図３】
0004354626.tif 000010